(57)【要約】【課題】水処理用の溝に挿着され、着脱自在、且つ、メンテナンス作業が容易であって、透水管にも代替可能な透水性と濾過機能とを備えた濾過構造体を提供する。【解決手段】水処理用の溝５に挿着され、断面視において溝５への挿着方向に先細りの形状をした筒状ハウジング２からなり、筒状ハウジング２は、透水孔３が複数形成されており、筒状ハウジング２の形状に合うように掘削された溝５から突出するように、又は、上端部が表出するように溝５に挿着されるように構成する。【選択図】図１
2014101704.tif 000002
【特許請求の範囲】
【請求項１】
水処理用の溝に挿着され、断面視において前記溝への挿着方向に先細りの形状をした筒状ハウジングからなり、
前記筒状ハウジングは、透水孔が複数形成されており、前記筒状ハウジングの形状に合うように掘削された前記溝から突出するように、又は、上端部が表出するように前記溝に挿着されることを特徴とする濾過構造体。
【請求項２】
前記筒状ハウジングは、高強度合成樹脂からなり、断面視において、台形状であり、平行する２つの辺のうち短い辺側が下に向くように、前記溝に装着されることを特徴とする請求項１に記載の濾過構造体。
【請求項３】
前記筒状ハウジングは、断面視において、上下の辺の両方又はどちらか一方に膨らみがあることを特徴とする請求項２に記載の濾過構造体。
【請求項４】
前記筒状ハウジングは、高強度合成樹脂からなり、断面視において、三角状であり、一番小さい内角を有する頂点が下に向くように、前記溝に装着されることを特徴とする請求項１に記載の濾過構造体。
【請求項５】
前記筒状ハウジングは、断面視において、各頂点の全て又は何れかは丸みを帯びていること、及び／又は、辺の全て又は何れかに膨らみがあることを特徴とする請求項４に記載の濾過構造体。
【請求項６】
前記筒状ハウジングは、上端部に着脱可能な蓋と、
内部にグラウンド表面の余剰水や地中の過剰な浸透水に混じる微細ゴミや、土砂，砂利を下部に落下させないようにするためのフィルターと、
前記フィルターを支持するストッパーとを備えていることを特徴とする請求項２乃至請求項５のうち何れか1つに記載の濾過構造体。
【請求項７】
前記筒状ハウジングの上端部に人工芝が設けられていることを特徴とする請求項２乃至請求項６のうち何れか１つに記載の濾過構造体。
【請求項８】
前記筒状ハウジングの表面が透水性を有する不織布で覆われていることを特徴とする請求項７に記載の濾過構造体。
【請求項９】
前記筒状ハウジングの上端部に埋込式の取手が設けられていることを特徴とする請求項８に記載の濾過構造体。
【請求項１０】
小石，砂利，砂，炭，枯葉，籾殻の何れかで又は何れかの組み合わせで前記筒状ハウジングの内部を充填することを特徴とする請求項９に記載の濾過構造体。
【請求項１１】
前記溝は、土又は芝生のグラウンドの周囲において、該グラウンドの内外を隔てる仕切り又は側溝の内側に設ける副側溝であることを特徴とする請求項１乃至請求項１０のうち何れか１つに記載の濾過構造体。
【発明の詳細な説明】
【技術分野】
【０００１】
本発明は、水処理用の溝に挿着され、土又は芝生のグラウンドに対して上部を突出又は表出させ、形状を工夫することで着脱自在にした濾過構造体に関する。
【背景技術】
【０００２】
従来、土又は芝生のグラウンドのグラウンド表面の余剰水と地中の過剰な浸透水を排水する手段として、グラウンドの周囲を取り囲むように側溝を設ける手法が知られている。しかし、この側溝は、通常、コンクリート等の水を通さない材料からなるため、側面が仕切りとなり、余剰水及び浸透水が側溝へ排水されるのを妨げる構造となっている。
【０００３】
行き場を失った余剰水及び浸透水は地中に蓄積され、過剰な水分を含んだ浸透水過剰状態となる。この浸透水過剰状態は、芝生の根腐れや芝枯れ、土壌中の酸素欠乏により有毒な硫化水素ガスが発生し、芝の生育を妨げるブラックレイヤーの温床にもなる。浸透水過剰状態の解消方法としては、一般に、グラウンドの地中に透水管を埋設し、グラウンドに染み込んだ浸透水をこの透水管から側溝に導くことでグラウンド外に排水する方法がとられている。
【０００４】
しかしながら、この浸透水排水方法では、時間が経過すると、地中の土砂に含まれる粘土質のシルト成分が、透水管の開孔部に粘着することで目詰まりを起こし、グラウンドに染み込んだ浸透水が透水管内部まで届かず地中に蓄積され、透水管未設置の場合と同じく浸透水過剰状態が解消しないという問題があった。
【０００５】
この問題は、グラウンド中に埋設された透水管を一度掘り起こし、新しい透水管に交換したり、トレンチャー等の機材を使用して、比較的幅が狭く深い穴を掘り、グラウンドに染み込んだ浸透水をその穴に集める等の作業によって解消し得るが、何れの作業も膨大な時間や費用を要し、自治体等のグラウンド管理者にとっては大きな負担となっていた。
【０００６】
このグラウンド管理者の負担を軽減すべく、本件発明者は、土又は芝生のグラウンドの周囲において、グラウンドの内外を隔てる仕切り又は側溝の内側に副側溝を設けることで、余剰水及び浸透水を仕切りによって阻むことなく、副側溝に排水させることを特徴とするグラウンドの排水方法に係る発明について出願している。
【０００７】
このグラウンドの排水方法によれば、グラウンド新設時若しくは初回メンテナンス時にのみ副側溝を設ければ、従来のような大掛かりな作業を必要とせず、トラクタ等の専用又はその他の掘削機材によってグラウンド内を走り、グラウンド表層から基盤の上までの過剰な浸透水の捌け道を造り、古い根を切るという簡単なメンテナンス作業のみで芝生劣化の原因となる地中の過剰な浸透水をグラウンド外に排水することができ、従来に比べ、短時間且つ低コストでのメンテナンス作業が可能となる。
【０００８】
また、副側溝には充分な強度を有する濾過構造体を装着することで、余剰水及び浸透水に混じる、土砂，芝生の残滓，微生物が側溝や河川へ流れ込むのを防ぎ、芝生の残滓等に残る農薬，肥料によって生じる河川水の汚染が低減されるとともに、濾過構造体に付着した微生物が、水の汚れの原因物質であるチッソやリン等を栄養分として取り込み、分解しながら生き続けることで、排水を浄化できるので環境に優しい。
【０００９】
さらに、濾過構造体を着脱可能にしたことにより、副側溝に溜まった土砂を取り除いたり、濾過構造体に絡まった芝生の残滓を除去する清掃作業が容易となる利点がある。
【先行技術文献】
【特許文献】
【００１０】
【特許文献１】特願２０１２−１０７５３５
【発明の概要】
【発明が解決しようとする課題】
【００１１】
しかしながら、このグラウンドの排水方法に用いる濾過構造体は、副側溝に長期間設置することによって、副側溝周囲の土砂による土圧によって変形し、副側溝から抜き出すことが容易ではなく、簡単にメンテナンスが行えないという懸念があった。
【００１２】
また、副側溝を用いない従来の透水管による排水方法によれば、透水管の開孔部が目詰まりを起こす度に、透水管を一度掘り起こし、新しい透水管に交換する必要があり、その都度、膨大な時間と費用を必要とする。
【００１３】
この問題は、透水管による排水方法を用いる限り改善されることはなく、継続的に繰り返すことになるため、大規模なメンテナンス作業を必要とせず、充分な透水性を有する透水管の代替品の発明が嘱望されている。
【００１４】
そこで、本発明が解決しようとする課題は、土圧によって変形しても、着脱自在で、メンテナンス作業が容易であって、副側溝に装着可能、或いは、透水管に代替可能な透水性と濾過機能とを備えた濾過構造体を提供することである。
【課題を解決するための手段】
【００１５】
この発明は、前記課題を解決するためになされたもので、請求項１に記載の濾過構造体は、水処理用の溝に挿着され、断面視において前記溝への挿着方向に先細りの形状をした筒状ハウジングからなり、前記筒状ハウジングは、透水孔が複数形成されており、前記筒状ハウジングの形状に合うように掘削された前記溝から突出するように、又は、上端部が表出するように前記溝に挿着されることを特徴としている。
【００１６】
請求項１に記載の濾過構造体によれば、筒状ハウジングを、断面視において溝への挿着方向に先細りの形状にしているので、矩形状にした場合と比べて、溝周囲の土砂から掛かる土圧によって構造体中央部が湾曲する変形を起こし難く、上に引き抜く際の抵抗が少なくなり、溝から濾過構造体を容易に引き抜くことができる。
【００１７】
すなわち、濾過構造体を矩形状にした場合には、構造体の体角部と体周部の強度に大きな差が生じ、溝周囲の土砂から土圧を受けると構造体中央部が湾曲し、鼓形状に変形する。鼓形状に変形した濾過構造体は、溝から抜き出す際に、上と横との２方向から加圧され、底辺の角部が引っかかることで、溝から濾過構造体を引き抜くことは容易ではない。一方、請求項１に記載の濾過構造体の構成であれば、このような引き抜きにくい問題を解消することができる。
【００１８】
また、請求項１に記載の濾過構造体によれば、筒状ハウジングは、透水孔が複数形成されているので、地中の過剰な浸透水を筒状ハウジング内に取り込み、副側溝又は側溝まで導水し、グラウンド外へ排水することができる。すなわち、請求項１に記載の濾過構造体によれば、従来の透水管に代替する優れた透水管を提供することができる。
【００１９】
さらに、請求項１に記載の濾過構造体によれば、溝から濾過構造体の上部を突出させ、又は、上端部を表出させることにより、地中の過剰な浸透水のみならず、グラウンド表面の余剰水も副側溝又は側溝まで導水し、グラウンド外へ排水することができる。
【００２０】
請求項２に記載の濾過構造体は、請求項１において、前記筒状ハウジングは、高強度合成樹脂からなり、断面視において、台形状であり、平行する２つの辺のうち短い辺側が下に向くように、前記溝に装着されることを特徴としている。
【００２１】
請求項２に記載の濾過構造体によれば、請求項１の効果に加えて、濾過構造体が高強度合成樹脂で形成されているので、グラウンド上での競技者の踏圧、又は、溝周囲の土砂から掛かる土圧に耐えることができ、先細りの形状の中で比較的容量が大きい断面視台形状にすることで、透水管としてグラウンド表面の余剰水と地中の過剰な浸透水とを副側溝及び側溝まで導水する際に充分な流量を保つことができる。
【００２２】
請求項３に記載の濾過構造体は、請求項２において、前記筒状ハウジングは、断面視において、上下の辺の両方又はどちらか一方に膨らみがあることを特徴としている。
【００２３】
請求項４に記載の濾過構造体は、請求項１において、前記筒状ハウジングは、高強度合成樹脂からなり、断面視において、三角状であり、一番小さい内角を有する頂点が下に向くように、前記溝に装着されることを特徴としている。
【００２４】
請求項５に記載の濾過構造体は、請求項４において、前記筒状ハウジングは、断面視において、各頂点の全て又は何れかは丸みを帯びていること、及び／又は、辺の全て又は何れかに膨らみがあることを特徴としている。
【００２５】
請求項６に記載の濾過構造体は、請求項２乃至請求項５のうち何れか１つにおいて、前記筒状ハウジングは、上端部に着脱可能な蓋と、内部にグラウンド表面の余剰水や地中の過剰な浸透水に混じる微細ゴミや、土砂，砂利を下部に落下させないようにするためのフィルターと、前記フィルターを支持するストッパーとを備えていることを特徴としている。
【００２６】
請求項６に記載の濾過構造体によれば、請求項２乃至請求項５のうち何れか１つの効果に加えて、内部にフィルターを設けたので、溝周辺のグラウンド表面の余剰水や地中の過剰な浸透水に混じる微細ゴミや、土砂，砂利を下部に落下させないように受け止めることができ、筒状ハウジング上端部に蓋を設けたことにより、筒状ハウジングを抜き出すことなく、蓋を開けるだけで、フィルターに溜まった微細ゴミや、土砂，砂利を簡単に取り除くことができる。すなわち、清掃，メンテナンスを容易に行うことができる。
【００２７】
請求項７に記載の濾過構造体は、請求項２乃至請求項６のうち何れか１つにおいて、前記筒状ハウジングの上端部に人工芝が設けられていることを特徴としている。
【００２８】
請求項７に記載の濾過構造体によれば、請求項２乃至請求項６のうち何れか１つの効果に加えて、筒状ハウジングの上端部の溝から突出した部分に人工芝を植栽することにより、濾過構造体周囲の芝との違和感や境界を目立たなくすると共に、溝から突出及び表出した濾過構造体の上部の露出を防ぎ、グラウンド利用者の安全を確保することができる。
【００２９】
請求項８に記載の濾過構造体は、請求項７において、前記筒状ハウジングの表面が透水性を有する不織布で覆われていることを特徴としている。
【００３０】
請求項８に記載の濾過構造体によれば、請求項７の効果に加えて、筒状ハウジングの表面が透水性を有する不織布で覆われているので、土砂や芝生の残滓等の絡みつきや、透水孔の目詰まりを防止することができ、筒状ハウジング内に土砂等が入り込まないので、メンテナンス作業を容易にすることができる。
【００３１】
請求項９に記載の濾過構造体は、請求項８において、前記筒状ハウジングは、上端部に埋込式の取手が設けられていることを特徴としている。
【００３２】
請求項９に記載の濾過構造体によれば、請求項８の効果に加えて、筒状ハウジングの上端部に埋込式の取手を付けたことにより、濾過構造体の溝への着脱を容易にすることができ、取手を使用しない場合には濾過構造体内に埋入することで、グラウンド利用者の邪魔になることもなく、景観を損なうこともない。
【００３３】
請求項１０に記載の濾過構造体は、請求項９において、小石，砂利，砂，炭，枯葉，籾殻の何れかで又は何れかの組み合わせで前記筒状ハウジングの内部を充填することを特徴としている。
【００３４】
請求項１０に記載の濾過構造体によれば、請求項９の効果に加えて、小石，砂利，砂，炭，枯葉，籾殻の何れかで又は何れかの組み合わせで筒状ハウジングの内部を充填することにより、濾過機能を向上させ、副側溝及び側溝を介して排水される水に混じる土砂，芝生の残滓，微生物が側溝や河川へ流れ込むのを防ぎ、芝生の残滓等に残る農薬，肥料によって生じる河川水の汚染を低減することができる。
【００３５】
請求項１１に記載の濾過構造体は、請求項１乃至請求項１０のうち何れか１つにおいて、前記溝は、土又は芝生のグラウンドの周囲において、該グラウンドの内外を隔てる仕切り又は側溝の内側に設ける副側溝であることを特徴としている。
【００３６】
請求項１１に記載の濾過構造体によれば、請求項１乃至請求項１０のうち何れか１つの効果に加えて、溝は、本件発明者が既に出願しているグラウンドの排水方法に用いられ、土又は芝生のグラウンドの周囲において、グラウンドの内外を隔てる仕切り又は側溝の内側に設けられた副側溝に対して使用することができる。
【００３７】
また、請求項１１に記載の濾過構造体によれば、副側溝は、スリットドレーン等の掘削機材によって、グラウンド表面から基盤上までを掘削することで設けられ、掘削面の土が剥きだしになっているため、経年劣化や降雨などによって副側溝に周囲の土砂が流れ込み、埋没してしまう懸念があったところ、濾過構造体を副側溝に装着することにより、土砂の流れ込みを防ぎ、副側溝の形状と機能とを長期間持続させることが可能となる。
【発明の効果】
【００３８】
本発明によれば、土圧によって変形しても、着脱及びメンテナンス作業が容易であって、透水管に代替可能な透水性と濾過機能とを備えた濾過構造体を提供することができる。
【図面の簡単な説明】
【００３９】
【図１】濾過構造体の説明に供する図である。
【図２】濾過構造体の形状の説明に供する図であって、（Ａ）台形状，（Ｂ）上の辺に膨らみがある台形状，（Ｃ）下の辺に膨らみがある台形状，（Ｄ）上下両方の辺に膨らみがある台形状，（Ｅ）三角状，（Ｆ）各頂点の全てが丸みを帯びている三角状、（Ｇ）辺の全てに膨らみがある三角状の断面図である。
【図３】濾過構造体への加圧方向の説明に供する図であって、（Ａ）矩形状の濾過構造体への加圧方向の加圧方向、（Ｂ）断面視が先細りの形状の濾過構造体への加圧方向の図である。
【図４】濾過構造体の透水孔の説明に供する図である。
【図５】濾過構造体の一実施形態を示す部分断面図である。
【図６】濾過構造体を透水管の代替品とする使用方法の説明に供する図であって、（Ａ）使用形態を示す図、（Ｂ）浸透水の流れを示す図である。
【図７】濾過構造体内部に小石，砂利，砂，炭，枯葉，籾殻の何れか、又は、何れかの組み合わせを充填した一実施形態の説明に供する図である。
【発明を実施するための形態】
【００４０】
以下、本発明を適用した具体的な実施の形態について、図面を参照しながら詳細に説明する。本発明は、例えば図１に示すような構成の濾過構造体１に適用される。
【００４１】
先ず、図１を参照して、濾過構造体１の構成の概略について説明する。この濾過構造体１は、筒状ハウジング２からなり、筒状ハウジング２が、透水孔３、埋込式取手４、蓋２７、フィルター２８、ストッパー２９を主要部として備えている。
【００４２】
筒状ハウジング２は、グラウンド上での競技者の踏圧や、溝５周囲の土砂から掛かる土圧に耐え得る強度を有する高強度合成樹脂、例えば高強度ポリエチレンで形成されている。筒状ハウジング２は、どの断面で切っても同一の筒形状であり、断面は、溝５への挿着方向に先細りの台形状になっている。これは、後述するように、筒状ハウジング２の形状を矩形状にした場合と比べて、濾過構造体１を溝５から容易に引き抜くことができるからである。
【００４３】
筒状ハウジング２は、先細りの形状のうち比較的容量が大きい断面視台形状にすることで、透水管としてグラウンド表面の余剰水と地中の過剰な浸透水とを副側溝６及び側溝７まで導水する際に充分な容量を確保することができる。なお、断面視台形状であれば左右対称である必要はない。
【００４４】
筒状ハウジング２は、上端部に着脱可能な蓋２７を備えており、内部にはフィルター２８を備えている。蓋２７は、例えば、矩形状に形成されており、筒状ハウジング２の上端部の全面を覆うように、排水方向が長手方向になるように筒状ハウジング２の上端部に着脱自在に設置される。また、蓋２７は、上面に取手４が埋込式に設けられており、さらに人工芝９が植栽されている。
【００４５】
フィルター２８は、蓋２７と略同一の形状をしており、例えば網状やメッシュなどの濾過機能を有する素材で構成されている。フィルター２８は、筒状ハウジング２内の４隅に設けられたストッパー２９によって支持されている。ストッパー２９は、例えば、四角柱の出っ張りであり、筒状ハウジング２内の中間の高さに設けられている。なお、ストッパー２９の形状は、四角柱に限定されず、凸状に形成された出っ張りであればよい。
【００４６】
筒状ハウジング２は、装着する溝５の長さに応じて複数連結が可能なように連結機構１５を備えている。例えば、筒状ハウジング２は、長手方向の一方の内寸が大きく、他方の外寸が小さくされており、大きな内寸の一方に小さな外寸の他方を嵌入することで、水を漏らすことなく複数の筒状ハウジング２を長さ調節自在に連結できるようになっている。なお、連結機構１５は、水を漏らさないことが必須ではないので、例えば、透水性を有する不織布で、筒状ハウジング２を複数巻回して接続してもよい。
【００４７】
濾過構造体１の形状は、どの断面で切っても同一の断面形状が表れる筒形状であって、断面が、溝５への挿着方向に先細りになっている。例えば、図２（Ａ）に示すような、台形状，図２（Ｂ）に示すような、上の辺に膨らみがある台形状，図２（Ｃ）に示すような、下の辺に膨らみがある台形状，図２（Ｄ）に示すような、上下両方の辺に膨らみがある台形状，図２（Ｅ）に示すような、三角状，図２（Ｆ）に示すような、各頂点の全てが丸みを帯びている三角状、図２（Ｇ）に示すような、辺の全てに膨らみがある三角状であってもよい。
【００４８】
ここで、図３を参照して、濾過構造体１を断面視において先細りにすることで、矩形状にした場合と比べて少ない力で着脱が可能になる根拠について説明する。矩形状の濾過構造体の形状を断面視において矩形状にした場合、構造体の四隅と、上下左右の辺とでは強度に大きな差があり、溝５周囲の土砂から土圧を受けると、四隅と比べて強度の弱い左右の辺２３の中央のみが湾曲し、鼓形状に変形する。
【００４９】
鼓形状に変形した濾過構造体は、溝５から抜き出す際に、底辺の２つの角部２４が引っかかりとなり大きな抵抗力が生じるため、溝５から濾過構造体を引き抜くには大きな力が必要となる。
【００５０】
一方、例えば、濾過構造体１の断面が台形状である場合（図２（Ａ）に対応。）、溝５周囲の土砂から土圧を受けても、左右の辺２３の湾曲を比較的小さく抑えることができ、湾曲したとしても底辺の２つの角部２４による抵抗力を大幅に軽減できるため、矩形状の濾過構造体と比べて小さな力での着脱が可能になる。
【００５１】
また、矩形状の濾過構造体の場合、構造体は、溝から完全に抜き出されるまで摩擦による抵抗力を受け続けるのに対して、例えば、濾過構造体１の断面が台形状である場合、濾過構造体１は、一旦、溝５から抜き出されると、周囲から摩擦を受けることがないので、容易に溝５から抜き出すことができる。
【００５２】
筒状ハウジング２の表面は不織布８で覆われており、土砂や芝生の残滓等の絡みつきや、透水孔３の目詰まりを防止することができる。
【００５３】
さらに、筒状ハウジング２の上面には人工芝９が植栽されており、濾過構造体１周囲の芝との境界を目立たなくすると共に、溝５から突出及び／又は表出した濾過構造体１の上部を露出させないことで、グラウンド利用者が濾過構造体１に躓き転倒することを未然に防ぎ、安全を確保することができる。
【００５４】
透水孔３は、図４に示すように、筒状ハウジング２の表面に編み目状に複数設けられており、グラウンドの浸透能力を超えた表面の余剰水及び地中の過剰な浸透水を筒状ハウジング２内に取り込み、副側溝６又は側溝７まで導水し、グラウンド外へと排水させる。なお、透水孔３は、グラウンド表面の余剰水と地中の過剰な浸透水とを濾過構造体１内に取り入れ、時間をかけて地中に浸透させることができれば形状は特に限定されず、例えば、パンチングメタルのように形成されても良い。
【００５５】
埋込式取手４は、筒状ハウジング２の上端部に埋込可能に設けられており、濾過構造体１の溝への着脱を容易にすることができる。取手４を使用しない場合には、濾過構造体１内に埋入することで、グラウンド利用者の邪魔になることもなく、景観を損なうこともない。
【００５６】
続いて、図５を参照して、濾過構造体１の使用方法について説明する。
１．副側溝６に装着する使用方法
【００５７】
副側溝６は、グラウンドの内外を隔てる仕切り１０又は側溝７の内側を、スリットドレーン等の掘削機材によって、グラウンド表面から基盤１４の上までを掘削することで設けられている。副側溝７の幅及び深さは特に定められておらず、グラウンド表面の余剰水と、地中の過剰な浸透水を副側溝６から流路２２を経由して側溝７まで導水するのに十分な幅及び深さを有していれば足りる。
【００５８】
装着時には、断面視台形状の平行する２つの辺のうち、短い辺側が下に向くように装着する。濾過構造体１は、長手方向において、ある程度の長さを有しているが、装着する溝５の長さに応じて複数個連結して使用する。
２．透水管の代替品としての使用方法
【００５９】
図６（Ａ）に示すように、濾過構造体１を、スリットドレーン等の掘削機材によって設けられ、副側溝６及び側溝７に接続された溝５に、例えば、濾過構造体１の断面が台形状である場合（図２（Ａ）に対応。）、断面視台形状の平行する２つの辺のうち短い辺側が下に向くように装着する。濾過構造体１によって集水されたグラウンド表面の余剰水と地中の過剰な浸透水は、図６（Ｂ）に示すように、一旦濾過構造体１内に取り込まれ、時間をかけて地中に浸透することで、溝５周辺の浸透水過剰状態を解消、または、副側溝６及び側溝７を介してグラウンド外へ排水される。
【００６０】
溝５に装着した濾過構造体１は、定期的に抜き出し、洗い流すだけの簡単なメンテナンス作業のみで排水機能を長期間維持することができるので、従来のような、透水管交換作業や集水穴穿設作業等の大規模なメンテナンスの必要がなくなり、大幅なコストの削減が可能になる。
【００６１】
なお、濾過構造体１を装着した溝５は、排水用の副側溝６及び側溝７に必ずしも接続されてなくてもよい。この場合、地中の過剰な浸透水は、一時的に濾過構造体１内に取り込まれ、時間をかけて地中に浸透していく。
【００６２】
また、濾過構造体１は、図７に示すように、小石２５Ａ，砂利２５Ｂ，砂２５Ｃ，炭２５Ｄ，枯葉２５Ｅ，籾殻２５Ｆの何れか又は何れかの組み合わせで筒状ハウジング２の内部を充填することにより、濾過機能を向上させ、溝５を介して排水される水に混じる土砂，芝生の残滓，微生物が側溝や河川へ流れ込むのを防ぎ、芝生の残滓等に残る農薬，肥料によって生じる河川水の汚染を低減することができる。
【００６３】
なお、本発明は前述した実施の形態のみに限定されるものではなく、本発明の要旨を逸脱しない範囲において種々の変更が可能であることは勿論である。例えば、この濾過構造体１は、芝に関しては人工であるか天然であるかを問わず、また、土の種類も限定されず、公園，学校，野球場，陸上競技場等のグラウンド施設，農地等に広く活用することができる。
【符号の説明】
【００６４】
１          濾過構造体
２          筒状ハウジング
３          透水孔
４          取手
５          溝
６          副側溝
７          側溝
８          不織布
９          人工芝
１０        仕切り
１１        表層
１２        中層
１３        下層
１４        基盤
１５        連結機構
１６        透水管
１７        集水枡
１８        排水量調整具
１９        芝
２０        サッチ層
２１        上蓋
２２        流路
２３        左右の辺
２４        底辺の２つの角部
２５Ａ      小石
２５Ｂ      砂利
２５Ｃ      砂
２５Ｄ      炭
２５Ｅ      枯葉
２５Ｆ      籾殻
２６        排水管
２７        蓋
２８        フィルター
２９        ストッパー
【図１】
2014101704.tif 000003
【図２】
2014101704.tif 000004
【図３】
2014101704.tif 000005
【図４】
2014101704.tif 000006
【図５】
2014101704.tif 000007
【図６】
2014101704.tif 000008
【図７】
2014101704.tif 000009